(57)【特許請求の範囲】
【請求項１】
略箱状の器具本体内に、燃料を燃焼する燃焼部と、通常はキャップで閉成される補給口を有する温水暖房の循環液用のタンクと、前記燃焼部からの燃焼ガスによりタンクから送られる循環液を加熱する熱交換部とを配設すると共に、前記タンクの補給口に圧力逃し孔を形成し、その補給口が器具本体外に突出するための突出孔を器具本体の天板に形成し、前記突出孔と補給口の間をパッキンで閉成すると共に、器具本体外に突出した補給口に覆い蓋を被せて覆う屋外設置型燃焼器具に於いて、前記天板に設けた補給口突出部の前側に該補給口突出部より高く形成した膨出部を設け、補給口突出部の膨出部の反対側に突出孔寄りに引っ込んで形成した引き込み部を設けると共に、前記覆い蓋を収納部と該収納部の端の周りに先端に立設部が形成された鍔部とから形成し、覆い蓋を補給口に被せた時、前記立設部の補給口突出部の膨出部及び引き込み部に対する位置に切欠き部を形成したことを特徴とする屋外設置型燃焼器具。
【請求項２】
前記天板の補給口突出部の突出孔の周りに断面Ｌ字状の立ち上げ部を形成すると共に、パッキンの側面の外周に溝部を形成し、前記立ち上げ部にパッキンの溝部が差し込まれて突出孔の周りを表面と裏面から挟み込むようにして密着することを特徴とする請求項１記載の屋外設置型燃焼器具。
【発明の詳細な説明】
【０００１】
【産業上の利用分野】
この発明は、ガスや石油等の燃料を燃焼させて温水暖房の回路内を流れる循環液を加熱する屋外設置型燃焼器具に関するものである。
【０００２】
【従来の技術】
従来よりこの種のものに於いては、室内などに設置された温水式床暖房や温水式温風暖房機、温水式放熱器などの温水暖房の回路内を流れる循環液を加熱するために、燃焼器具の器具本体内に合成樹脂からなるタンクを配置して温水暖房の回路内を流れる循環液を一定量貯めておき、燃焼部でガスや石油等の燃料を燃焼させて発生した燃焼ガスにより熱交換部を加熱し、その熱交換部に循環ポンプによりタンク内の循環液を送って熱交換して温度を上昇させた後温水回路へ送り出すと共に、温水暖房の回路内を通過して放熱して温度の下がった循環液をタンク内に戻していた。
【０００３】
そして、このタンクには図９のように、循環液をタンク内に補給するための補給口１０１が先端部分の外周をねじ切りされて設けられており、この補給口１０１が器具本体外に突出するための突出孔１０２が孔の周りを立ち上げて器具本体の天板１０３に設けられている。
【０００４】
そして、有底円筒状でその内径が突出孔１０２の立ち上げ部分の外径よりも大きい補給口用キャップ１０４の内部底面に、円筒状でその外径が補給口用キャップ１０４の内径より小さく内周を補給口１０１のねじ切りされた部分と係合するためねじ切りされている係合部１０５を設け、この補給口用キャップ１０４をタンクの補給口１０１に係合させて補給口１０１を閉成していた。
【０００５】
また、係合部１０５の外周と補給口用キャップ１０４の内周との間の空間とタンクの補給口１０１の内部とを連通するための連通孔１０６を補給口１０１の円周に設け、タンク内の循環液が増えたり、循環液の水分が蒸発して蒸気になっても、図９のａのようなタンク内の空気や発生した蒸気が連通孔１０６を通ってタンク外に逃げて、タンク内の圧力が高くらないようになっている。
【０００６】
【発明が解決しようとする課題】
しかし、わずかとはいえ突出孔１０２の周りの立ち上げ部分と補給口用キャップ１０４の先端部分との間にはすき間があるため、雨などが当たると図９のｂのようにこのすき間から流入して、突出孔１０２と補給口１０１との間のすき間から雨が器具本体内に入ってしまう欠点があった。
【０００７】
また、補給口用キャップ１０４の内面に、循環液の水分が蒸発して発生した蒸気の一部が結露して水滴となると、この水滴が図９のｃのように突出孔１０２の周りの立ち上げ部分と補給口用キャップ１０４の先端部分との間のすき間から器具本体内に入ってしまう欠点があった。
【０００８】
【問題点を解決するための手段】
本発明はこの点に着目し、上記欠点を解決する為、特にその構成を、請求項１では、略箱状の器具本体内に、燃料を燃焼する燃焼部と、通常はキャップで閉成される補給口を有する温水暖房の循環液用のタンクと、前記燃焼部からの燃焼ガスによりタンクから送られる循環液を加熱する熱交換部とを配設すると共に、前記タンクの補給口に圧力逃し孔を形成し、その補給口が器具本体外に突出するための突出孔を器具本体の天板に形成し、前記突出孔と補給口の間をパッキンで閉成すると共に、器具本体外に突出した補給口に覆い蓋を被せて覆う屋外設置型燃焼器具に於いて、前記天板に設けた補給口突出部の前側に該補給口突出部より高く形成した膨出部を設け、補給口突出部の膨出部の反対側に突出孔寄りに引っ込んで形成した引き込み部を設けると共に、前記覆い蓋を収納部と該収納部の端の周りに先端に立設部が形成された鍔部とから形成し、覆い蓋を補給口に被せた時、前記立設部の補給口突出部の膨出部及び引き込み部に対する位置に切欠き部を形成したものである。
又請求項２では、前記天板の補給口突出部の突出孔の周りに断面Ｌ字状の立ち上げ部を形成すると共に、パッキンの側面の外周に溝部を形成し、前記立ち上げ部にパッキンの溝部が差し込まれて突出孔の周りを表面と裏面から挟み込むようにして密着するものである。
【０００９】
【作用】
請求項１の発明においては、暖房運転を開始して循環液の温度が高くなって体積膨張した結果タンク１７内の循環液量が増えたり、循環液の温度が高くなった結果循環液の水分が蒸発して蒸気になるなどによりタンク１７内の圧力が高くなる場合、タンク１７内の空気や発生した蒸気は、タンク１７の補給口１８の円周部分の向かって後ろ側に形成した圧力逃し孔２０を通って、補給口１８及びキャップ１９の外面と覆い蓋３３の内面との間の空間へとタンク１７内から抜けていく。
【００１０】
そして、天板２の補給口突出部２１の突出孔２３と補給口１８との間がパッキン２９で完全に閉成されており、また、覆い蓋３３の向かって前面側では、立設部３６の切欠き部３９に対して補給口突出部２１の境目の部分が、補給口突出部２１より高く断面逆半円状に膨出させて形成した膨出部２７であるため、膨出部２７と切欠き部３９との間のすき間がほとんどないのに対して、覆い蓋３３の向かって後面側では、立設部３６の切欠き部３９に対して補給口突出部２１の境目の部分が、両端部分の境目より突出孔２３寄りに位置するように引っ込んで形成された引き込み部２８であるため、引き込み部２８と切欠き部３９との間のすき間が大きく、したがって空気や蒸気は、補給口１８の円周部分の向かって後ろ側に形成した圧力逃し孔２０からそのまま引き込み部２８と切欠き部３９との間のすき間をスムーズに通って覆い蓋３３外へと抜けていくものである。
【００１１】
また、タンク１７内から覆い蓋３３内に抜けた蒸気が覆い蓋３３の内面で結露して水滴になっても、覆い蓋３３の向かって後面側の引き込み部２８と切欠き部３９との間のすき間をスムーズに通過して、覆い蓋３３外へ排水できるものである。
【００１２】
又請求項２の発明においては、更に、天板２の補給口突出部２１の突出孔２３の孔の周りは、断面Ｌ字状の立ち上げ部２４が形成され、これにパッキン２９の外周に形成した溝部３２が差し込まれて突出孔２３の周りと密着しているので、この密着している溝部３２と補給口突出部２１との間に雨がしみ込んできても、しみ込んだ雨は立ち上げ部２４を越えて回り込むことができず、溝部３２を伝って器具本体１内に雨が流入するのを防止するものである。
【００１３】
【実施例】
次にこの発明に係る屋外設置型燃焼器具を図面に示す一実施例で説明する。
１は屋外設置型燃焼器具の器具本体で、天板２と、前面パネル３と、側面板と背面板とを一体にした中板４と、底板５とからなり、屋外に設置されるものである。
【００１４】
前記前面パネル３には、右上に排気ガスを排気する排気口６が形成され、その排気口６の左側に空気取り入れのために吸気口７が、前面パネル３の略中央の上方から中ほどにかけて縦に多数形成されている。
【００１５】
また、その吸気口７の左側に、器具本体１内に配置される電源用トランス８や他の電装品を冷却するために、冷却口９が前面パネル３の左端の中ほどから下方にかけて縦に複数形成されている。
【００１６】
１０は仕切板で、器具本体１内の中央からやや左よりの位置に配置され、器具本体１内を左右に区画するものである。
【００１７】
１１は燃焼部で、器具本体１内の正面向かって右側に配置され、供給される燃油と燃焼用空気とにより燃焼筒１２内で燃焼し、その燃焼ガスが上部の熱交換部１３を通過して排気口６から排気されるものである。
【００１８】
１４は略箱状の給気部で、仕切板１０と燃焼部１１との間に配置され、吸気口７より流入した空気を中板４の背面下方に設けた空気流入部１５まで案内するものである。
【００１９】
１６は基板取付板で、仕切板１０で仕切られた器具本体１内の左側の区画を更に前後に区画するように設けられている。
【００２０】
１７は合成樹脂よりなるタンクで、器具本体１内の左側の区画の基板取付板１６で仕切られた後ろ側の区画に配設され、温水暖房の回路内を流れる循環液を一定量貯めておくもので、上方に循環液を補給するための円筒状の補給口１８が設けられ、通常はキャップ１９にて閉じられているものである。
【００２１】
また、補給口１８の円周部分の後ろ側には、タンク１７内の空気や蒸気がタンク１７外に逃げたり、タンク１７外から空気がタンク１７内へ入ったりするための圧力逃し孔２０が形成されている。
【００２２】
２１は天板２の向かって左端に設けた補給口突出部で、プレス機械により絞り加工されて一段高くなった天上部２２の左端を更に絞ってもう一段高く設けられているものである。
【００２３】
この補給口突出部２１の略中央には、タンク１７の補給口１８が器具本体１外に突出するための突出孔２３が設けられ、この突出孔２３の周りを立ち上げて立ち上げ部２４を形成している。
また、突出孔２３の左右には、ねじ切りされた固定孔２５・２６が形成されている。
【００２４】
２７は膨出部で、補給口突出部２１の前面側の略中央で、補給口突出部２１と天上部２２との境目の部分を絞り加工などにより補給口突出部２１より高く断面逆半円状に膨出させて形成したものである。
【００２５】
２８は引き込み部で、補給口突出部２１の背面側の天上部２２との境目の略中央部分が、絞り加工などにより両端部分の境目より突出孔２３よりに位置するように形成されたものである。
【００２６】
２９は円板状のパッキンで、中央にタンク１７の補給口１８の先端が貫通する貫通孔３０が形成され、その貫通孔３０の孔の周りには補給口１８の貫通部分の外周と密着する密着部３１が設けられ、また、パッキン２９の側面の外周部分には、溝部３２を形成して、その溝部３２に突出孔２３の立ち上げ部２４を表面と裏面から挟み込むような状態になるように差し込んで、パッキン２９を突出孔２３に固定するものである。
【００２７】
３３は合成樹脂製の覆い蓋で、天板４の突出孔２３から突出したタンク１７の補給口１８に上から被せるもので、箱状の収納部３４の端の周りに鍔部３５が形成され、更に鍔部３５の先端には補給口１８に上から被せた時、鍔部３５の内面が補給口突出部２１の外面に接するように鍔部３５に対してほぼ直角に曲がった立設部３６が形成されており、この立設部３６で補給口突出部２１の周りを覆うものである。
【００２８】
また、鍔部３５には、覆い蓋３３を補給口１８に被せた時、補給口突出部２１の固定孔２５・２６の真上の位置に、固定孔２５・２６と連通するための連通孔３７・３８が形成されている。
【００２９】
また、立設部３６には、覆い蓋３３を補給口１８に被せた時、補給口突出部２１の膨出部２７及び引き込み部２８に対する位置に、切欠き部３９を形成しているものである。
【００３０】
４０は固定ピンで、覆い蓋３３を補給口１８に被せた状態で、覆い蓋３３の連通孔３７・３８から補給口突出部２１の固定孔２５・２６へ向かって差し込んで回動させると、先端のねじ切り部分が固定孔２５・２６のねじ切り部分と係合して、天板２に固定するものである。
【００３１】
４１は循環ポンプで、タンク１７内の循環液を熱交換部１３に送って熱交換により温度を上昇させた後、器具本体１外の温水暖房の回路へ送り出すと共に、温水暖房の回路を通過して放熱により温度の下がった循環液を器具本体１内のタンク１７へ戻すものである。
【００３２】
４２は送風機で、空気を吸気口７から給気部１４へそして空気流入部１５を通って燃焼部１１へと送風し、燃焼により発生した燃焼ガスを排気ガスとして熱交換部１３を通過させて排気口６から排気するものである。
【００３３】
４３は油受け部で、器具本体１外の燃料タンク（図示せず）から燃油を送油して常に一定量の燃油を貯めておくもので、更にその貯めた燃油を電磁ポンプ４４により燃焼部１１へ送油するものである。
【００３４】
４４はプリント基板で、室内の操作パネルや室内機などの操作ボタンを操作することにより発信される運転信号を信号線を介して受信して、その運転信号に基づいて燃焼器具の運転を制御するものである。
【００３５】
次に上記実施例における作用を説明する。
まず、タンク１７内の循環液が増えたり、循環液の水分が蒸発して蒸気になってタンク内の圧力が高くなる場合、タンク１７内の空気や発生した蒸気は、タンク１７の補給口１８の円周部分の向かって後ろ側に形成した圧力逃し孔２０を通って、タンク１７内から補給口１８及びキャップ１９の外面と覆い蓋３３の内面との間の空間へと抜けていく。
【００３６】
次に、補給口１８及びキャップ１９の外面と覆い蓋３３の内面との間の空間に抜けた空気や蒸気は、天板２の補給口突出部２１の突出孔２３と補給口１８との間がパッキン２９で完全に閉成されているため、補給口突出部２１の境目の部分と覆い蓋３３の立設部３６の切欠き部３９との間のすき間を通って覆い蓋３３外へと抜けていく。
【００３７】
このとき、覆い蓋３３の向かって前面側では、立設部３６の切欠き部３９に対して補給口突出部２１の境目の部分が、補給口突出部２１より高く断面逆半円状に膨出させて形成した膨出部２７であるため、膨出部２７と切欠き部３９との間のすき間はほとんどなく、空気や蒸気は大変通りにくくなっている。
【００３８】
また、覆い蓋３３の向かって後面側では、立設部３６の切欠き部３９に対して補給口突出部２１の境目の部分が、両端部分の境目より突出孔２３寄りに位置するように形成された引き込み部２８であるため、引き込み部２８と切欠き部３９との間のすき間は大きく、空気や蒸気は大変通りやすくなっている。
【００３９】
したがって、補給口１８及びキャップ１９の外面と覆い蓋３３の内面との間の空間に抜けた空気や蒸気は、タンク１７の補給口１８の圧力逃し孔２０が補給口１８の円周部分の向かって後ろ側に形成されていることもあり、その空気や蒸気の殆どが、覆い蓋３３の向かって後面側の引き込み部２８と切欠き部３９との間のすき間をスムーズに通過して覆い蓋３３外へと抜けていく。
【００４０】
また、タンク１７から覆い蓋３３内に逃げた蒸気が覆い蓋３３の内面で結露して水滴になっても、パッキン２９で補給口突出部２１の突出孔２３と補給口１８との間が完全に閉成されているため、補給口突出部２１突出孔２３と補給口１８との間から器具本体１内に流れることなく、覆い蓋３３の向かって後面側の引き込み部２８と切欠き部３９との間のすき間をスムーズに通過して覆い蓋３３外へ流れ出ていくものである。
それにより覆い蓋３３内に水滴が残って、それが冬の気温が低い時に凍結して圧力逃し孔２０などの空気や蒸気の抜けていく通気路を塞いだり、パッキン２９の劣化を早めたり、凍結による水滴の体積膨張により覆い蓋３３を破損したりすることがない。
【００４１】
次に、雨が器具本体１に当たるような場合、覆い蓋３３の向かって前面側では膨出部２７と切欠き部３９との間のすき間はほとんどなく、そのすき間から雨が覆い蓋３３内に殆ど流入しないものである。
【００４２】
また、覆い蓋３３の向かって後面側の引き込み部２８と切欠き部３９との間のすき間が大きいため、そのすき間から雨が覆い蓋３３内に侵入してくるが、補給口突出部２１の突出孔２３と補給口１８との間がパッキン２９で完全に閉成されているため、器具本体１内に侵入することができず、結局引き込み部２８と切欠き部３９との間のすき間から再び覆い蓋３３外へ流れ出ていくものである。
【００４３】
また、天板２の補給口突出部２１の突出孔２３の孔の周りは、断面Ｌ字状の立ち上げ部２４が形成され、これにパッキン２９の側面の外周に形成した溝部３２が差し込まれて、突出孔２３の周りを表面と裏面から挟み込むようにして密着しているので、この密着している溝部３２と補給口突出部２１との間に雨がしみ込んできても、しみ込んだ雨は立ち上げ部２４を越えることができず、溝部３２を伝って器具本体１内に雨が流入するのを防止するものである。
【００４４】
また、本実施例では補給口突出部２１に膨出部２７と引き込み部２８を設け、覆い蓋３３の立設部３６の向かって前面側及び後面側に切欠き部３９を設けたので、覆い蓋３３の前後の切欠き部３９のどちらが前面でも後面でも関係なく覆い蓋３３を天板２に取り付けられるので、覆い蓋３３の方向を気にせず楽に作業ができるものである。
【００４５】
【発明の効果】
以上のように請求項１の発明では、略箱状の器具本体内に、燃料を燃焼する燃焼部と、通常はキャップで閉成される補給口を有する温水暖房の循環液用のタンクと、前記燃焼部からの燃焼ガスによりタンクから送られる循環液を加熱する熱交換部とを配設した屋外設置型燃焼器具に於いて、前記タンクの補給口に圧力逃し孔を形成し、その補給口が器具本体外に突出するための突出孔を器具本体の天板に形成し、前記突出孔と補給口の間をパッキンで閉成すると共に、圧力逃し孔と器具本体外とを通気状態とする切欠き部を有し器具本体外に突出した補給口を覆う覆い蓋を着脱自在に設けたものであるから、タンク内の空気や発生した蒸気は、パッキンにより天板の補給口突出部の突出孔と補給口との間から器具本体内に流入することなく、補給口の円周部分の向かって後ろ側に形成した圧力逃し孔からそのまま引き込み部と切欠き部との間のすき間をスムーズに通って覆い蓋外へと抜けていき、タンク内の圧力が高くなるのを防止できるものである。
【００４６】
また、タンク内から覆い蓋内に抜けた蒸気が覆い蓋の内面で結露して水滴になっても、パッキンにより天板の補給口突出部の突出孔と補給口との間から器具本体内に流れることなく、覆い蓋の向かって後面側の引き込み部と切欠き部との間のすき間をスムーズに通過して覆い蓋外へ排水できるものである。
【００４７】
又請求項２の発明においては、更に、パッキンの溝部と天板の補給口突出部との間に雨がしみ込んできても、突出孔の孔の周りの断面Ｌ字状の立ち上げ部に、パッキンの溝部が差し込まれて密着しているので、しみ込んだ雨は立ち上げ部を越えて回り込むことができず、溝部を伝って器具本体内に雨が流入するのを防止できるものである。
【図面の簡単な説明】
【図１】この発明の一実施例を付した燃焼器具を示す正面図。
【図２】同器具本体から前パネルを外した状態を示す正面図。
【図３】同側面図。
【図４】同覆い蓋の平面図。
【図５】同覆い蓋の正面図。
【図６】同天板に形成した補給口突出部を示す要部平面図。
【図７】同図３Ａ−Ａ線の断面図。
【図８】同図１Ｂ−Ｂ線の断面図。
【図９】従来例を示す要部断面図。
【符号の説明】
１  器具本体
２  天板
１１  燃焼部
１３  熱交換部
１７  タンク
１８  補給口
１９  キャップ
２０  圧力逃し孔
２３  突出孔
２９  パッキン
３３  覆い蓋
３９  切欠き部
【図１】
0003689228.tif 000002
【図２】
0003689228.tif 000003
【図３】
0003689228.tif 000004
【図４】
0003689228.tif 000005
【図５】
0003689228.tif 000006
【図６】
0003689228.tif 000007
【図７】
0003689228.tif 000008
【図８】
0003689228.tif 000009
【図９】
0003689228.tif 000010